(57)【要約】      （修正有）【課題】ロングスカート、ロングパンツ等の衣類の着用時に、当該裾がブーツのファスナーの開閉用スライダーに引っ掛って衣類が破損することを防止するブーツ等長靴用ファスナーを提供する。【解決手段】ブーツ本体の外側面に設けられたスライドファスナー３と、該スライドファスナーの開閉錠用スライダーと、該開閉錠用スライダーの引手６と、この引手の上下動に伴う様、前記開閉錠用スライダーにカバー７を接着剤にて接着し一体化して被せることで構成する。これにより、ファスナーの開閉錠用スライダーに、衣類の裾纏りの糸が引っ掛って衣類が破損することを無くす。【選択図】図１
0003156837.tif 000002
【実用新案登録請求の範囲】
【請求項１】
ブーツ本体の外側面に設けられたスライドファスナーと、該スライドファスナーの開閉錠用スライダーと、該開閉錠用スライダーの引手と、この引手の上下動に伴う様、前記開閉錠用スライダーに被さるカバーとで成したことを特徴とした靴におけるファスナー装置。
【請求項２】
前記カバーは、開閉錠用スライダーから引手に亘って延長して被さることを特徴とする請求項１記載の靴におけるファスナー装置。
【請求項３】
前記カバーは、ブーツ本体と同一のレザー材料製としたことを特徴とする請求項１〜２の何れか１記載の靴におけるファスナー装置。
【請求項４】
前記カバーは、柔軟性材料にて形成したことを特徴とした請求項１〜２の何れか１記載の靴におけるファスナー装置。
【請求項５】
前記カバーは、裏面に左右突子を設け、開閉錠用スライダーに設けられた引手のホルダーの支持孔に前記左右突子を圧入して該左右突子と前記カバーの裏面とでヒンジを抱込む様にしたことを特徴とした請求項１〜２の何れか１記載の靴におけるファスナー装置。
【考案の詳細な説明】
【技術分野】
【０００１】
本考案は短靴、特にブーツ等の靴に副えられるファスナー装置に関する。
【背景技術】
【０００２】
近時、女性ファッションのイメージアップ過程において欠かせない存在の一つとしブーツファッションが存在する。
而して、このブーツファッションの唯一の問題点として、ロングスカート、ロングパンツ等の衣類を着用した場合に、当該裾がファスナーの開閉用スライダー、或いはスライダーに備えられた引手に引っ掛り、ファスナーの開閉錠に支障を来たしたり、又強引にファスナーの開閉錠を試みると着用している衣類が破損するという思わぬトラブルに直面する。勿論、短靴においても同様の問題点が危惧される。
【０００３】
そこで、上記に対応して下記特許文献が存在する。
而して、この特許文献によると、ブーツの足先挿入口の内側に可撓性のカバーを縫付け、或いは必要に応じ面ファスナーにて貼着し、ファスナーの閉錠状態時、即ちスライダーが上部に位置した状態において、そのカバーを折り返してスライダー及び引手を覆うこととしている。
ところで、ブーツが露見する長さのミニスカート、ショートパンツ等においては、ブーツ内側のカバーにストッキング、或いは肌が触れ違和感が生じる。
勿論、その様な場合、カバーを外すことも考えられるが、常備しなければならず、又紛失する虞もある。
【先行技術文献】
【特許文献】
【０００４】
【特許文献１】実用新案登録第３１３２９４０号
【考案の開示】
【考案が解決しようとする課題】
【０００５】
ロングスカート、ロングパンツ等の衣類の着用時に、当該裾がブーツのファスナーの開閉錠用スライダーに引っ掛って衣類が破損すること、更にそれらへの対応としてスライダー及びその引手を覆うカバーをブーツの内側に貼着することによって該カバーがストッキング、或いは肌に触れて違和感を生じさせること、或いはカバーを外すことによる常備の煩わしさや、紛失等の課題。
【課題を解決するための手段】
【０００６】
本考案は、ブーツ本体の外側面に設けられたスライドファスナーと、該スライドファスナーの開閉錠用スライダーと、該開閉錠用スライダーの引手と、この引手の上下動に伴う様、前記開閉錠用スライダーに被さ
るカバーとで成したことを特徴としたものである。
【０００７】
更に本考案は、カバーは、開閉錠用スライダーから引手に亘って延長して被さることを特徴としたものである。
又本考案は、カバーをブーツ本体と同一色のレザー材料製としたことを特徴としたものである。
又本考案は、カバーを柔軟性材料にて形成したことを特徴としたものである。
【０００８】
更に本考案は、カバーは、裏面に左右突子を設け、開閉錠用スライダーに設けられた引手のヒンジの支持孔に前記左右突子を圧入して該左右突子と前記カバーの裏面とでホルダーを抱込む様にしたことを特徴としたものである。
【考案の効果】
【０００９】
（１）請求項１により、靴のファスナーの開閉錠用スライダーがカバーにて覆われているので、ロングスカート、ロングパンツ等の衣類の着用時に、当該裾が靴のファスナーの開閉用スライダー、或いはスライダーに衣類の裾纏りの糸が引っ掛って衣類が破損することがなく、而もカバーはブーツの外側面に位置するから、カバーがストッキング、或いは肌が触れることもなく、違和感を生せず、且つカバーと一体であることから、特にカバーを外す必要もなく常備の煩わしさや紛失等もない。
【００１０】
（２）請求項２により、カバーにて開閉錠用スライダー及び引手に亘って覆われているから、より一層衣類の引っ掛り防止に繋がる。
（３）請求項３により、カバーが靴本体と同一材料、同一色となって違和感がなく、一層感性を高めることができる。
（４）請求項４により、カバーの柔軟性にて衣類がソフト的に接触し、擦り切れ等を軽減する。
【００１１】
（５）請求項５により、カバーを開閉錠用スライダーに取付る際は、該カバーを押さえ込むだけで、裏面の左右突子がヒンジの支持孔に圧入し、カバーの裏面とでヒンジを抱込むこととなって、簡単に取り付けできる。
【図面の簡単な説明】
【００１２】
【図１】ファスナーの閉錠状態を示す靴の斜視図
【図２】同上の開錠状態を示す靴の斜視図
【図３】開閉錠用スライダーの部分拡大図
【図４】同上の断面側面図
【図５】開閉錠用スライダーの分解斜視図
【図６】同上の側面図
【図７】同上の断面図
【考案を実施するための形態】
【００１３】
以下本考案の実施例として掲げた図面に基づいて説明すると、図１は靴の一種であるブーツを示す斜視図であって、靴本体１は、足先の挿入口２から底部までの外側面１ａの全長に亘ってスライドファスナー３を副えている。このスライドファスナー３は開閉錠用スライダー４の上下動にて開閉錠される。
その操作はスライダー４のヒンジ５に反転自在に装備された引手６を摘んで行われる。
【００１４】
この引手６はスライダー４のヒンジ５の支持孔５ａに挿入され指先にて摘まれると共に、図６の矢印の如く反転自在となっている。
而して図１の実施例においてはスライダー４にカバー７を接着剤Ｂにて接着し一体化して被せている。
【００１５】
図５、６、７は異なる実施例であって、カバー７をスライダー４から引手６に亘って延長した長さとし、両者４、６に被さる。
具体的にはカバー７の裏面に左右突子８が設けられており、スライダー４に設けられた引手６のヒンジ５の支持孔５ａに圧入して該左右突子８と前記カバー７の裏面７ａとでヒンジ５を抱込む様にして一体化されている。
従って、カバー７を外す必要もなく常備の煩わしさからの紛失等もない。
勿論、必要に応じカバー７を持ち上げて左右突子８を引き外すことも可能である。
【００１６】
更にカバー７には引手６に対応してスリット９が形成されており、図６に示す如く、スライダー４の開閉錠時に引手６のみを反転させて操作してもよい。
又、カバー７を靴本体１と同一材料、同一色とすることにより、一層違和感がなく、感性を高めることができる。
特にカバー７を柔軟性材料にて形成することにより、カバー７が開閉錠用スライダー４に、更にはスライダー４の引手６に弾力的に取着し、衣類の接触によっても簡単に外れることが無く、且つカバーの柔軟性にて衣類がソフト的に接触し、擦り切れ等を軽減する。
尚、ここでいう柔軟性とは、スライドダー４、引手６の材料、即ち金属、硬質合成樹脂に対する比較を言う。
【符号の説明】
【００１７】
１  靴本体
２  足先の挿入口
３  スライドファスナー
４  開閉錠用スライダー
５  ヒンジ
６  引手
７  カバー
８  左右突子
Ｂ  接着剤
【図１】
0003156837.tif 000003
【図２】
0003156837.tif 000004
【図３】
0003156837.tif 000005
【図４】
0003156837.tif 000006
【図５】
0003156837.tif 000007
【図６】
0003156837.tif 000008
【図７】
0003156837.tif 000009